(57)【要約】【課題】陳列什器の奥行き、商品の大きさや数量に応じて簡単に長さを調節することができ、安全で頑丈な構造のＰＯＰ用の伸縮フックを提供する。【解決手段】掛止部１１を基端として前方が長手方向となる板状のベースアーム部１２が延伸形成されたベース部材２と、ベースアーム部１２の長手方向に沿ってスライド可能に支持され、前端にＰＯＰ取付部１４ｂを設けたスライドアーム２０とからなるＰＯＰ用伸縮フック１であって、ベースアーム部１２には長手方向に沿って鋸刃状凹凸溝１２ｅが形成され、スライドアーム２０には鋸刃状凹凸溝１２ｅに係合する係合爪１６が設けられ、スライドアーム２０を後方に押し戻すときには係合爪１６と鋸刃状凹凸溝１２ｅとの係合状態を解除してスライドさせ、前方に引き出すときは鋸刃状凹凸溝１２ｅに係合爪１６を接触させつつスライドさせる構成とする。【選択図】図１
0003190020.tif 000002
【実用新案登録請求の範囲】
【請求項１】
後端に陳列棚の掛止バーに掛止する掛止部が設けられ、当該掛止部を基端として前方が長手方向となる板状のベースアーム部が延伸形成されたベース部材と、
前記ベースアーム部の長手方向に沿ってスライド可能に前記ベース部材に支持され、前記ベースアーム部の長手方向と同方向に長手方向を有し、前端にＰＯＰ用具を取り付けるＰＯＰ取付部を設けたスライドアームとからなるＰＯＰ用伸縮フックであって、
前記ベースアーム部には長手方向に沿って鋸刃状凹凸溝が形成され、
前記スライドアームには前記鋸刃状凹凸溝に係合する係合爪が設けられ、
前記スライドアームを後方に押し戻すときには前記係合爪と鋸刃状凹凸溝との係合状態を解除してスライドさせ、前方に引き出すときは前記鋸刃状凹凸溝に前記係合爪を接触させつつスライドさせて、前記鋸刃状凹凸溝との係合位置で前記スライドアームの位置を調整するようにしたＰＯＰ用伸縮フック。
【請求項２】
前記ベースアーム部には長手方向に沿って長孔が形成されるとともに当該長孔の内面に前記鋸状凹凸溝が形成され、
前記スライドアームは、左スライド部材と右スライド部材とからなり、左スライド部材と右スライド部材とは、一方側に設けられた複数の係合突起を他方側の対応する位置に設けられた係合孔に係合させるとともに、少なくとも１つの前記係合突起を前記ベースアーム部の長孔を貫通させることにより、前記ベースアーム部を挟んで左右のスライド部材が一体となるように結合され、さらに前記長孔を貫通させた係合突起の近傍に前記係合爪が設けられる請求項１に記載のＰＯＰ用伸縮フック。
【請求項３】
前記長孔には前記係合突起が２つ貫通させてあり、これらの係合突起の間に前記係合爪が配置されている請求項２に記載のＰＯＰ用伸縮フック。
【請求項４】
前記ベースアーム部は、前記長孔が形成される鉛直面と、水平な上面と、水平な下面とにより断面がＨ型となるように形成され、前記スライドアームは前記長孔を貫通する前記係合突起で支持されるとともに、前記ベースアーム部の水平な下面によって支持される請求項２または請求項３に記載のＰＯＰ用伸縮フック。
【請求項５】
前記ベース部材と、前記左スライド部材と、前記右スライド部材とは、いずれも合成樹脂の射出成型により一体に形成されている請求項２〜請求項４のいずれかに記載のＰＯＰ用伸縮フック。
【考案の詳細な説明】
【技術分野】
【０００１】
本考案は、陳列棚で商品を吊り下げておくための棒状の陳列用フック（陳列用バーともいう）とともに使用されるＰＯＰ用のフックに関し、さらに詳細には、商品の陳列状況に応じて伸縮させることができるＰＯＰ用伸縮フックに関する。
【背景技術】
【０００２】
多数の商品を陳列する陳列什器では、前方に商品を吊り下げる棒状体（バー）が突き出た形状の陳列用フックが使用されている。陳列用フックは、限られたスペースで多種類の商品を多数個並べて陳列することができることから、様々な店舗で使用されている。
【０００３】
一般的な陳列用フックは商品を単に吊り下げておくだけのものであって、多種類の商品を並べて陳列したときは個々の商品を目立たせることができない。そのため、商品位置よりも前方に商品訴求のためのＰＯＰ（印刷物、商品サンプル等）を設けて目立たせることが望ましい。
また、多種類の商品を並べて陳列するときには、商品間を仕切ったり、一部商品を囲い込んだりするための仕切りＰＯＰを設けることも必要になる。
【０００４】
このような目的のため、広告宣伝等のＰＯＰを、商品よりも前方の位置に配置して目立たせることができる機能を備えた商品陳列用フック（商品陳列バー）を使用することが提案されている（例えば特許文献１参照）。
特許文献１には、商品を吊り下げるためのバー部材と、当該バー部材の上部に位置し、バー部材先端位置近傍に位置するＰＯＰ支持バーと、当該ＰＯＰ支持バーの先端部にＰＯＰを回動させることができる回転バインダーとを備えた商品陳列用フック（商品陳列バー）が開示されている。
【先行技術文献】
【特許文献】
【０００５】
【特許文献１】特開平８−１５００５４号公報
【考案の概要】
【考案が解決しようとする課題】
【０００６】
上述したＰＯＰ支持バーを備えた商品陳列用フック（陳列バー）は、ＰＯＰを配置する位置を商品の位置よりも前方にすることができるので、広告用ＰＯＰ、仕切り用ＰＯＰとして利用できる。
しかしながら、特許文献１の商品陳列バーでは、ＰＯＰの配置する位置はＰＯＰ支持バーの長さで決まっており、バー部材に吊り下げた商品の大きさや数とは無関係に、常に一定の位置にＰＯＰが配置される。そのため、商品の大きさや数によってＰＯＰの位置を変更することができず、商品に合わせてＰＯＰの前後位置を変更するには、ＰＯＰ支持バーの長さが異なる複数種類の陳列用フックを用意しておき、必要に応じて交換する必要があった。
【０００７】
また、ＰＯＰが商品よりも極端に前方に突出した状態で使用し続けると、誤って人が衝突する可能性が高くなり、衝突した人を傷付けてしまう等のおそれも生じることになる。
【０００８】
また、上述した以外のＰＯＰ用のフックとしては、突出させるバー部材を多段のジョイント構造にして、様々な長さや形状のパーツを自由に着脱可能として長さを調整するものも使用されている。しかしながらこのようなジョイント構造では、ジョイント部分で簡単に角度が変わってしまい、ＰＯＰを安定して支持することができない。また、（１本の）バー部材で支持する構造から、あまり重量の重いものを取り付けることができないため、ＰＯＰとしての使用時には重量的な制限が加わることになる。
【０００９】
そこで本考案は、商品を陳列する陳列用フックとともに使用されるＰＯＰ用のフックであって、陳列什器の奥行き、陳列する商品の大きさ、数量に応じて簡単に長さを調節することができ、しかも安全で頑丈な構造のＰＯＰ用の伸縮フックを提供することを目的とする。
【課題を解決するための手段】
【００１０】
上記目的を達成するためになされた本考案のＰＯＰ用伸縮フックは、後端に陳列棚の掛止バーに掛止する掛止部（１１）が設けられ、当該掛止部（１１）を基端として前方が長手方向となる板状のベースアーム部（１２）が延伸形成されたベース部材（２）と、前記ベースアーム部（１２）の長手方向に沿ってスライド可能に前記ベース部材（２）に支持され、前記ベースアーム部（１２）の長手方向と同方向に長手方向を有し、前端にＰＯＰ用具を取り付けるＰＯＰ取付部（１４ｂ）を設けたスライドアーム（２０）とからなるＰＯＰ用伸縮フック（１）であって、前記ベースアーム部（１２）には長手方向に沿って鋸刃状凹凸溝（１２ｅ）が形成され、前記スライドアーム（２０）には前記鋸刃状凹凸溝（１２ｅ）に係合する係合爪（１６）が設けられ、前記スライドアーム（２０）を後方に押し戻すときには前記係合爪（１６）と鋸刃状凹凸溝（１２ｅ）との係合状態を解除してスライドさせ、前方に引き出すときは前記鋸刃状凹凸溝（１２ｅ）に前記係合爪（１６）を接触させつつスライドさせて、前記鋸刃状凹凸溝（１２ｅ）との係合位置で前記スライドアーム（２０）の位置を調整するようにしている。
【考案の効果】
【００１１】
本考案のＰＯＰ用伸縮フックは、商品を吊り下げておくための一般的な棒状の陳列用フックと同様に、陳列棚の掛止バー（水平に架けられている横架バー）に掛止するための掛止部が設けられ、これにより陳列用フックの隣に並べて掛止することができ、狭い間隔で陳列用フックが隣接して掛止してある場合にはそれらの間に掛止することができる。
そして、ベース部材のベースアーム部に対し、スライドアームを引き出したり押し戻したりすることにより、スライドアーム先端に取り付けたＰＯＰ用具（訴求用印刷物、サンプル品、広告用ＰＯＰ・仕切りＰＯＰ等）を、適度な長さだけ陳列用フックに吊り下げられた商品よりも前方に突き出すようにして当該ＰＯＰ用具を目立たせて陳列することができ、例えば吊り下げている商品の数が減ってきたらスライドアームを縮め、吊り下げる商品の数を増やすときには再びスライドアームを伸ばすようにして、数量に合わせて長さを調整することができる。調整の際は鋸刃状の凹凸溝と係合爪との係合により、凹凸溝のピッチで長さを調整することができる。また、係合爪との係合によって前方から後方に押圧する力が働いても、押圧力が小さければ充分安定して固定できる。さらに、人の衝突等によって後方に強く押圧する力が働いたときには、係合爪が凹凸溝から跳ね上がって係合が解除されるため危害を与えることもない。
【００１２】
上記考案において、前記ベースアーム部（１２）には長手方向に沿って長孔（１２ｄ）が形成されるとともに当該長孔（１２ｄ）の内面に前記鋸状凹凸溝（１２ｅ）が形成され、前記スライドアーム（２０）は、左スライド部材（３）と右スライド部材（４）とからなり、左スライド部材（３）と右スライド部材（４）とは、一方側に設けられた複数の係合突起（１５ａ〜１５ｄ）を他方側の対応する位置に設けられた係合孔（１８ａ〜１８ｄ）に係合させるとともに、少なくとも１つの前記係合突起（１５ｄ）を前記ベースアーム部（１２）の長孔（１２ｄ）を貫通させることにより、前記ベースアーム部（１２）を挟んで左右のスライド部材（３，４）が一体となるように結合され、さらに前記長孔（１２ｄ）を貫通させた係合突起（１５ｄ）の近傍に前記係合爪（１６）が設けられるようにしてもよい。
これによれば、複数の係合突起でベースアーム部を挟むようにして左右のスライド部材が一体に結合され、しかも１つの係合突起は長孔を貫通しているので、スライドアームは係合突起が貫通した長孔の範囲内でスライドすることになり、誤って引き出し過ぎてスライドアームが外れてしまうような不具合は生じない。
【００１３】
上記考案において、前記長孔（１２ｄ）には前記係合突起（１５ｃ、１５ｄ）が２つ貫通させてあり、これらの係合突起（１５ｃ、１５ｄ）の間に前記係合爪（１６）が配置されるようにしてもよい。
これによれば、長孔を貫通する２つの係合突起が係合爪の前後を挟むように離隔した位置で貫通しているので、重量物をＰＯＰ取付部に取り付けた場合でもベースアーム部に対するスライドアームの傾きが制限され、滑らかにスライドさせることができるとともに、係合爪と凹凸溝との係合も安定させることができる。
【００１４】
上記考案において、前記ベースアーム部（１２）は、前記長孔（１２ｄ）が形成される鉛直面（１２ａ）と、水平な上面（１２ｂ）と、水平な下面（１２ｃ）とにより断面がＨ型となるように形成され、前記スライドアーム（２０）は前記長孔（１２ｄ）を貫通する前記係合突起（１５ｃ、１５ｄ）で支持されるとともに、前記ベースアーム部（１２）の水平な下面（１２ｃ）によって支持されるようにしてもよい。
これによれば、Ｈ型のベースアーム部の採用によって鉛直方向の力に対して頑丈な形状になるだけではなく、スライドアームがベースアーム部の水平な下面によっても安定して支持されるようになる。また、前端のＰＯＰ取付部にスライドアームが屈曲しない程度の重量物を取り付けることも可能になる。
【００１５】
上記考案において、前記ベース部材（２）と、前記左スライド部材（３）と、前記右スライド部材（４）とは、いずれも合成樹脂の射出成型により一体に形成されるようにしてもよい。
これによれば、３つの部材を、係合突起を対応する係合孔に係合させるだけで簡単に組み立てることができる。特に、鋸刃状凹凸溝と係合させる係合爪もスライド部材と一体に成型できるので、ネジなどで取り付ける必要もなくなる。さらに、合成樹脂で成型することにより、係合爪に適度の付勢力を与えることができるので、この付勢力によってスライドアームを引き出すときの抵抗力を調整したり、押し戻されるときに係合状態が解除されるための閾値を調整したりすることができる。
【図面の簡単な説明】
【００１６】
【図１】本考案の一実施形態であるＰＯＰ用伸縮フックの分解状態を示す斜視図。
【図２】図１のＰＯＰ用伸縮フックの組立状態を示す正面図。
【図３】係合爪の部分拡大図。
【図４】図２のＰＯＰ用伸縮フックを伸縮させた使用状態を示す図。
【考案を実施するための形態】
【００１７】
以下、本考案の実施形態について図面を用いて説明する。なお、本考案は、以下に説明するような実施形態に限定されるものではなく、本考案の趣旨を逸脱しない範囲で種々の態様が含まれることはいうまでもない。
【００１８】
図１は、本考案の一実施形態であるＰＯＰ用伸縮フック１の分解した状態を示す斜視図であり、図２は組み立てた状態を示す正面図である。また、図３は図２の一部分（係合爪１６）を拡大して示した図であって、図３（ａ）は平面図、図３（ｂ）は係合爪１６だけを示した斜視図である。また、図４は本考案に係るＰＯＰ用伸縮フック１の使用状態を示す図である。
【００１９】
ＰＯＰ用伸縮フック１は、主としてベース部材２と、左スライド部材３と、右スライド部材４とからなる。これらはいずれもＡＢＳやポリカーボネート等の合成樹脂を射出成型することによって形成されている。
【００２０】
ベース部材２は、後端に掛止部１１が形成され、掛止部１１を基端として板状のベースアーム部１２が前方に向けて長手方向をなすように形成されている。
掛止部１１は陳列棚の奥側に水平に架けられた角棒からなる掛止バーＫに掛止できるよう、掛止バーＫの幅に合わせたコの字状のフック機構からなり、前方に延びるベースアーム部１２を片持ち状態で支持できるように、左右方向の横幅が板状のベースアーム部１２の左右方向の板幅よりも幅広にするとともに強度補強のための補強部１１ａ、１１ｂが形成してある。
【００２１】
ベースアーム部１２は鉛直面１２ａと水平な上面１２ｂおよび下面１２ｃとからなり、上面１２ｂおよび下面１２ｃは鉛直面１２ａの高さ方向の幅よりも幅狭で、断面がＨ型となるように形成されており、鉛直面１２ａが上面１２ｂおよび下面１２ｃによって強度補強された構造としてある。鉛直面１２ａには長手方向に沿って長孔１２ｄが切り欠いてある。長孔１２ｄの下側内面には、急峻面が前向き、緩斜面が後向きとなるように三角刃が連続した鋸刃状凹凸溝１２ｅが形成してある。なお、三角刃の斜面の傾斜角を変更することにより、後述する係合爪１６との係合強さを調整することができる。
【００２２】
左スライド部材３は、ベース部材２のベースアーム部１２の長手方向と同方向を長手方向とした方形の板状体部１３ａからなり、ベースアーム部１２の上面１２ｂと下面１２ｃとに挟まれた空間内においてがたつくことなくスライドできるように、鉛直面１２ａの高さよりわずかだけ小さくしてある。右スライド部材４は、左スライド部材３と同寸法・同形状の板状体部１４ａと、板状体部１４ａの前端に設けられ、ＰＯＰ用具を貼り付けたり固定したりするためのＰＯＰ取付部１４ｂとからなる。
【００２３】
左スライド部材３の板状体部１３ａには、前側に係合突起１５ａ、１５ｂ、後側に係合突起１５ｃ、１５ｄが形成してあり、後側の係合突起１５ｃ、１５ｄは前後方向に離隔して設けてあり、それらの間には鋸刃状凹凸溝１２ｅに係合させる係合爪１６が切欠き１７とともに形成してある。
右スライド部材４の板状体部１４ａには左スライド部材３の係合突起１５ａ〜１５ｄと対応する位置に、各係合突起を嵌入させて固定するための係合孔１８ａ〜１８ｄが形成してあり、さらに切欠き１７に対応する位置には切欠き１９が形成してある。
【００２４】
係合爪１６は図３に示すように、支持部１６ａ、および、支持部１６ａの片側下面に形成される三角片１６ｂからなる。三角片１６ｂは鋸刃状凹凸溝１２ｅの溝と斜面の形状を対応させてある。支持部１６ａは左スライド部材３が射出成型される際に、三角片１６ｂに近い側が左スライド部材３の側面（板状体部１３ａ）から分離するとともに、三角片１６ｂから遠い側が左スライド部材３の側面（板状体部１３ａ）に固着するようにして、この固着部分を支点Ｓとして三角片１６ｂに弾性が生じるようにしてある。また支持部１６ａの三角片１６ｂに近い側はＴ字をなすように分岐してあり、一部が切欠き１７を通り抜けて左スライド部材３の側面（板状体部１３ａ）の外側へ突出するように形成してある。突出部分は係合爪１６を鋸刃状凹凸溝１２ｅから解除する際の持ち手となる。なお、左スライド部材３と右スライド部材４とを組み立てた状態では、図４に見られるように右スライド部材４の切欠き１９からも支持部１６ａの一部が突出して持ち手となる。
【００２５】
後側の係合突起１５ｃ、１５ｄの位置は、係合孔１８ｃ、１８ｄと係合させる際に、ベースアーム部１２の長孔１２ｄを貫通する位置にしてある。一方、前側の係合突起１５ａ、１５ｂは長孔１２ｄの外側で係合させるようにしてある。
そして、左スライド部材３と右スライド部材４とを、ベースアーム部１２を左右から挟むようにして係合突起１５ａ〜１５ｄと係合孔１８ａ〜１８ｄとを係合して固定することにより、一体となったスライドアーム２０が形成される。また、同時にスライドアーム２０がベースアーム部１２に対してスライド可能となったＰＯＰ用伸縮フック１の組み立てが完成する。
【００２６】
次に、組み立てられたＰＯＰ用伸縮フック１の使用動作および使用状態について説明する。図４に示すように陳列棚の奥側に設けられている掛止バーＫに掛止部１１を引っ掛ける。この状態でスライドアーム２０を前方に引くと、係合爪１６が鋸刃状凹凸溝１２ｅを乗り越えながら引き出されていく。なお、このとき係合爪１６は鋸刃状凹凸溝１２ｅの緩斜面側を乗り越えることになるので、比較的小さな力で引き出すことができる。
【００２７】
そして、商品の陳列状態に合わせて商品よりも前方の位置で適当な長さになるように引き出した後、ＰＯＰ取付部１４ｂにＰＯＰ用具を取り付ける。このＰＯＰ用具については図示を省略するが、ＰＯＰ取付部１４ｂの位置に印刷物や商品サンプル等のＰＯＰ用具を取り付けておく。例えばＰＯＰ用具が広告用や商品を仕切るための印刷物の場合は、両面テープ等でＰＯＰ取付部１４ｂに貼り付けてもよいし、２つ折りの印刷紙をＰＯＰ取付部１４ｂに貼ることによって両面訴求デバイダとしてもよい。また、商品サンプルを設置するホルダを取り付けたり吊り下げたりしてもよい。なお、ＰＯＰ取付部１４ｂには図示したように孔を設けてあるので、これを利用して商品サンプル等の重量物をネジで固定してもよい。
【００２８】
このように、本考案のＰＯＰ用伸縮フック１によれば、商品の陳列状態に合わせて適切な長さまでＰＯＰを前方に引き出して目立たせることができる。また、陳列状態が変化してＰＯＰを後方に戻したいときは、係合爪１６の持ち手部分をつまんで持ち上げ、鋸刃状凹凸溝１２ｅとの係合を解除して必要な長さまで押し戻すだけの操作で簡単に縮ませることができる。
【００２９】
また、スライドアーム１２を伸ばした状態で陳列中に、人が誤って衝突した場合には、スライドアーム１２を後方に向けて強く押圧する力が働くことになるが、本考案では係合爪１６と鋸刃状凹凸溝１２ｅとが係合する弾性力を超える大きな力が働くと、係合爪１６が跳ね上がることにより係合状態が解除されるため、衝突した人へ危害を及ぼすことなく安全が維持できる。
【００３０】
（変形実施例）
上記の実施形態は、合成樹脂の射出成型によりベース部材および左右のスライド部材を加工しているので、３つの部材だけですべてを組み立てることができ、製造コストが安価で、しかも組み立て工数も少なくなるので望ましいが、係合突起をネジなどの別の締結部品に換えて、係合爪もバネ等の別部品で形成して組み立てるようにしてもよい。
また、上記実施形態では左スライド部材３に４つの係合突起１５ａ〜１５ｄと係合爪１６とを設け、右スライド部材４に係合孔１８ａ〜１８ｅや切欠き１９を設けた構成としたが、係合突起１５ａ〜１５ｄ、係合爪１６の一部または全部を右スライド部材４に設けるようにしてもよい。
【産業上の利用可能性】
【００３１】
本考案は、陳列棚で商品を陳列する際に用いるＰＯＰ用のフックとして利用することができる。
【符号の説明】
【００３２】
１  ＰＯＰ用伸縮フック
２  ベース部材
３  左スライド部材
４  右スライド部材
１１  掛止部
１２  ベースアーム部
１２ａ  鉛直面
１２ｂ  上面
１２ｃ  下面
１２ｄ  長孔
１２ｅ  鋸刃状凹凸溝
１３ａ、１４ａ  板状体部（スライドアーム）
１４ｂ  ＰＯＰ取付部（スライドアーム）
１５ａ〜１５ｄ  係合突起
１６  係合爪
１６ａ  支持部
１６ｂ  三角片
１７  切欠き
１８ａ〜１８ｄ  係合孔
２０  スライドアーム
【図１】
0003190020.tif 000003
【図２】
0003190020.tif 000004
【図３】
0003190020.tif 000005
【図４】
0003190020.tif 000006